(57)【要約】【課題】土壌汚染調査における土壌汚染調査の現場に容易に運搬することができ、更に、この土壌汚染調査における土壌汚染調査の現場で、同時に複数個の試験容器を振とうし、一度に多数の分析用検液を作製することができる振とう装置を提供する。【解決手段】土壌試料と溶媒とが一定の割合で混合された試験溶液が入れられた試験容器２を複数個保持する受け部３が、支持軸４に対して相対して配設された振とう台５と、振とう台５を、支持軸４を中心に回動可能に支持する支持台６と、支持台６に配設され、振とう台５を、支持軸４を中心に回動させ、振とう台５の端部を上下動させて、振とう台５上に載置した試験容器２を揺動させる駆動部７とを備える。【選択図】図１
2012173150.tif 000002
【特許請求の範囲】
【請求項１】
土壌試料と溶媒とが一定の割合で混合された試験溶液が入れられた試験容器を複数個保持する受け部が、支持軸に対して相対又は直交して配設された振とう台と、
上記振とう台を、上記支持軸を中心に回動可能に支持する支持台と、
上記支持台に配設され、上記振とう台を上記支持軸を中心に回動させ、上記振とう台の端部を上下動させて、上記振とう台上に載置した試験容器を揺動させる駆動部とを備える振とう装置。
【請求項２】
上記受け部に、上記試験容器が挿入される受け孔が複数個形成され、
上記受け孔は、千鳥状に形成されている請求項１に記載の振とう装置。
【請求項３】
上記各受け孔に、上記試験容器が直立した状態で複数個積載されて収納される請求項１又は請求項２に記載の振とう装置。
【請求項４】
上記受け部は、上記振とう台にスライド可能に設けられている請求項１乃至請求項３のうちのいずれか１に記載の振とう装置。
【請求項５】
上記受け部が多段に設けられている請求項１乃至請求項４のうちいずれか１に記載の振とう装置。
【請求項６】
上記受け部は、支持部により、多段に設けられている請求項１又は請求項２に記載の振とう装置。
【請求項７】
上記受け部は、上記支持部にスライド可能に設けられている請求項６に記載の振とう装置。
【発明の詳細な説明】
【技術分野】
【０００１】
本発明は、試験溶液が入れられた複数個の試験容器を同時に振とうし、一度に多数の分析用検液を作製する振とう装置に関する。
【背景技術】
【０００２】
近年では、環境汚染が大きな社会問題となっており、その一つである土壌の汚染についても、汚染土壌に含まれる各種金属や揮発性有機化合物による汚染状況の調査が全国的に急がれている。
【０００３】
また、このような土壌汚染調査においては、汚染物質の分析を土壌汚染調査の現場で行ない、迅速に汚染状況を把握することが望ましい。しかし、そのためには、土壌汚染調査の現場に分析機材を持ち込み、その場で試験溶液から分析用検液を作製することが必要となる。
【０００４】
特に、土壌汚染調査の範囲が広い場合には、分析対象数が多くなり、分析を迅速に進めるためには、一度に多数の分析用検液を作製し、分析処理のための準備にかかる時間を短縮する必要がある。
【０００５】
上記したように、一度に多数の分析用検液を作製するための装置としては、特許文献１に示すようなものがある。この作製装置は、集積台に集積された複数個の試験容器をベルトコンベアで振とう装置に自動搬送し、振とうした後、ベルトコンベアで自動搬送して排出台に集積することにより、一度に多数の分析用検液を作製することができる。しかしながら、このような作製装置は、大型であるため、調査現場への運搬が困難で、移設するには多くの経済的負担、労力がかかる。
【０００６】
一方、小型の振とう装置を用いる場合には、運搬等にかかる負担は軽減されるものの、同時に複数個の試験容器を振とうして一度に多数の分析用検液を作製するためには、土壌汚染調査の現場に何台もの振とう装置を用意する必要がある。
【０００７】
また、振とう装置における振とう方式には、振とう台を、振とう台の幅方向または長さ方向に往復させて振とう台上の試験容器を振とうする、いわゆる往復方式と、振とう台を、円形状、楕円形状、８の字状等に旋回させて振とう台上の試験容器を振とうする、いわゆる旋回方式と、振とう台を支持軸を中心に回動させて振とう台の幅方向の端部を上下動させ、振とう台上の試験容器を支持軸を中心に揺動させて振とうする、いわゆるシーソー方式とがある。
【０００８】
これらの振とう方式のうち、シーソー方式の振とう装置は、他の振とう方式の振とう装置と比べて、構造が簡易で、部品点数が少なく、重量も軽量であるため、運搬が容易で利便性が高く、実際に土壌汚染調査を行う現場において分析用検液を作製するために使用する振とう装置として最適である。
【０００９】
しかしながら、シーソー方式の振とう装置は、一般的には、振とう台上において、試験容器が支持軸に対して相対するよう幅方向両側に均等に配列しなければならないため、小型・軽量を維持しながら、他の振とう方式の振とう装置のように一度に多数の分析用検液を作製できる構造とすることが課題であった。
【先行技術文献】
【特許文献】
【００１０】
【特許文献１】特開２００７−４０７３１号公報
【発明の概要】
【発明が解決しようとする課題】
【００１１】
本発明は、このような従来の問題に鑑みてなされたものであり、土壌汚染調査の現場へ容易に運搬することができ、さらに、この土壌汚染調査の現場において、同時に複数個の試験容器を振とうさせて、一度に多数の分析用検液を作製することができ、分析の迅速化及び調査期間の短縮化を図る振とう装置を提供することを目的とする。
【課題を解決するための手段】
【００１２】
上記目的を達成するため、本発明に係る振とう装置は、土壌試料と溶媒とを一定の割合で混合して作製した試験溶液を入れた試験容器を複数個保持する受け部が、支持軸に対して相対または直交して配設された振とう台と、振とう台を支持軸を中心に回動可能に支持する支持台と、支持台に配設され、振とう台を支持軸を中心に回動させ、振とう台の端部を上下動させて、振とう台上に載置した試験容器を継続して揺動させる駆動部とを備える。
【発明の効果】
【００１３】
本発明に係る振とう装置は、試験容器を保持する受け部が支持軸に対して相対あるいは直交して配設された振とう台と、この振とう台を支持軸を中心に回動させ、振とう台の端部を上下動させて、振とう台上に載置した試験容器を継続して揺動させる駆動部によって構成される軽量小型、簡易構造の装置であって、簡便なシーソー方式により試験容器を振とうさせるものである。
【００１４】
また、振とう台上に備えられた各受け部において試験容器を複数個保持することができ、土壌汚染調査を行う土壌汚染調査の現場に容易に運搬することが可能であるため、土壌汚染調査の現場で、同時に複数個の試験容器を振とうさせて、一度に多数の分析用検液を作製することができ、分析の迅速化及び調査期間の短縮化を図ることができる。
【図面の簡単な説明】
【００１５】
【図１】（Ａ）は、本発明の振とう装置の具体例を示した概略の平面図である。（Ｂ）は、概略の正面断面図である。
【図２】本発明の振とう装置の具体例を示した概略の側面断面図である。
【図３】本発明の振とう装置の駆動部の具体例を示した概略の斜視図である。
【図４】本発明の振とう装置の受け部の受け孔が千鳥状に形成された際の具体例を示した概略の平面図である。
【図５】本発明の振とう装置の受け部に試験容器が多段に収納された際の具体例を示した概略の側面断面図である。
【図６】本発明の振とう装置の受け部を多段に設けた際の具体例を示した概略の側面図であり、（Ａ）は、係合する前の状態を示し、（Ｂ）は、係合後の状態を示した概略の側面図である。
【図７】本発明の振とう装置の受け部を多段に設けた際の他の具体例を示した概略の側面図であり、（Ａ）は、閉蓋した状態を示し、（Ｂ）は、観音開き状に開蓋した状態を示した概略の側面図である。
【図８】本発明の振とう装置の受け部を、支持部を用いて多段に設けた際の具体例を示した概略の斜視図である。
【図９】本発明の振とう装置の受け部を、支持部を用いて多段に設けるとともに、スライド可能に設けた際の具体例を示した概略の斜視図である。
【図１０】本発明の振とう装置の受け部を、支持部を用いて多段に設けるとともに、スライド可能に設けた際の具体例を示した概略の側面断面図である。
【図１１】本発明の振とう装置の受け部の他の具体例を示した概略の平面図である。
【図１２】本発明の振とう装置の受け部を、支持軸４に直交し、互いに平行に、長さ方向の両端部の間に配設されている具体例を示した平面図であり、（Ｂ）は、正面断面図である。
【発明を実施するための形態】
【００１６】
以下、本発明が適用された振とう装置１について、図面を参照にして説明する。本発明が適用された振とう装置１は、図１乃至図３に示すように、土壌汚染調査の現場で採取した土壌試料と溶媒とを一定の割合で混合された試験溶液が入れられた試験容器２を複数個保持する受け部３が、下面幅方向中央部に固着されて一体となっている支持軸４に対して相対して配設された振とう台５と、この振とう台５を支持軸４を中心に回動可能に支持する支持台６と、この支持台６に配設され、振とう台５上に載置した試験容器２を揺動させる駆動部７とを備える。
【００１７】
試験容器２は、図１（Ｂ）に示すように、上部が開口された有底筒状の容器本体２ａと、この容器本体２ａの上部に着脱可能に取り付けられ、開口を閉塞する蓋体２ｂとから構成されている。また、試験容器２は、例えばポリエチレンやポリプロピレン等の樹脂で形成され、５００ｍｌ程度の容量を有する。この試験容器２には、土壌汚染調査等のために採取した土壌試料と溶媒となる純水とが一定の割合で混合された試験溶液が入れられる。なお、試験容器２は、上述したような材質及び容量に限定されるものではなく、試験溶液が入れられるものであれば如何なる材質でもよく、また容量についても入れる試験溶液の量に応じて適宜変更可能である。
【００１８】
振とう台５は、図１（Ａ）及び図１（Ｂ）に示すように、略矩形状に形成されている。また、振とう台５の下面には、幅方向の略中央に、長さ方向に向けて支持軸４が設けられている。この支持軸４は、振とう台５の長さ方向の長さより長く、振とう台５の長さ方向の両端より所定の長さ突出している。そして、支持軸４は、例えば振とう台５の下面に溶接されている。このように振とう台５の長さ方向の両端から突出し、下面に固着された支持軸４を介して、振とう台５は支持台６に揺動可能に支持されている。
【００１９】
また、振とう台５上には、図１（Ａ）及び図１（Ｂ）に示すように、支持軸４に対して相対して、それぞれ複数個の試験容器２を保持する受け部３が配設されている。具体的には、各受け部３は、支持軸４を中心に等間隔で、互いに平行に、振とう台５の上面の幅方向の両端部５ａ,５ａの間に配設されている。
【００２０】
なお、各受け部３は、両端部５ａ、５ａに配設されることに限定されるものではなく、支持軸４に対してそれぞれが相対し、支持軸４を中心に等間隔で配設されるものであれば、如何なる位置に配設してもよい。
【００２１】
また、各受け部３は、複数個の試験容器２が直線的に一列に保持される大きさに形成されている。具体的に、各受け部３は、直方体状に形成され、試験容器２の外径よりやや大きな幅と、振とう台５の長さ方向と略同じ長さと、試験容器２の容器本体２ａと略同等またはやや低い高さとを有するように設けられている。
【００２２】
さらに、各受け部３の上面には、試験容器２が挿入可能な大きさの受け孔３ａが、受け部３を円筒状に挿通して、長さ方向に向けて、複数個形成されている。すなわち、受け孔３ａは、支持軸４に対して相対するように各受け部３内に複数個設けられている。
【００２３】
本装置においては、このように受け孔３ａが形成されているため、受け部３では、複数個の試験容器２を略直立した状態を保持しながら、安定して繰り返し振とうさせることができる。
【００２４】
なお、受け部３の高さは、容器本体２ａと蓋体２ｂとを含めた試験容器２と略同等またはやや高くてもよく、受け部３に設けられた受け孔３ａは、有底であってもよい。
【００２５】
支持台６は、図１（Ａ）及び図１（Ｂ）に示すように、上面に、振とう台５と略同じ形状であってやや大きめの開口部を有する有底箱状に形成されている。また、上記支持台６は、振とう台５の幅方向に相対する側面に軸受等の軸受部を有しており、この軸受部を介して振とう台５に付設された支持軸４を支持することで、振とう台５を回動可能に支持する。
【００２６】
なお、上記したように、支持軸４を振とう台５に固着し、軸受部を支持台６に設けることに限定されるものではなく、例えば支持軸４を支持台６側に取り付け、振とう台５の方に軸受部を設けるようにしてもよい。
【００２７】
さらに、支持台６の底板の下面側には、土壌採取現場において当該振とう装置１を地面に配置するための脚部８が取り付けられている。この脚部８は、図１（Ａ）及び図１（Ｂ）に示すように、例えば４本の脚を有し、各脚が、支持台６の底板の下面側の４隅近傍に回動可能に取り付けられている。これらの脚を内側に回動させて折り畳むことで、装置全体を小さくしてハンドリングを向上させることができ、当該振とう装置１の搬送、保管等に要していたスペースを削減すると共に、車両への積み降ろし、土壌採取現場での移動等運搬を容易にすることを可能にした。
【００２８】
なお、上記各脚は、支持台６の底板から着脱可能としてもよく、各脚を支持台６から取り外すことで、前記同様装置全体の嵩が縮小することから、搬送、保管時において省スペース化が図れ、また取扱いが容易となって運搬に必要な人員も少なくて済むため、装置の使用に伴って生ずるコストを軽減することができる。
【００２９】
駆動部７は、図１（Ｂ）に示すように、支持台６の底板の上面側に配設されている。駆動部７は、振とう台５を駆動する駆動モータ９と、駆動モータ９の回転運動を上下運動に変換するカム部１０とを有する。
【００３０】
上記駆動モータ９は、図示しない操作部等により電源がオンまたはオフの状態とされる。また、この駆動モータ９には、図２及び図３に示すように、駆動軸にカム部１０と連結する回転板１１が設けられている。カム部１０は、一端１０ａがこの回転板１１の主面に偏芯させて回動可能に連結され、他端１０ｂが振とう台５の長さ方向の端部のうちの一方の端部に回動可能に連結されている。したがって、駆動部７は、図示しない操作部等により駆動モータ９を回転駆動させ、この駆動モータ９の回転をカム部１０により上下運動に変換して、振とう台５を、支持軸４を中心に回動させ、振とう台５の幅方向の端部５ａ，５ａを、支持軸４を中心にして円周方向上方または下方に、例えばそれぞれ７０ｍｍ程度上下動させ、振とう台５上に載置した試験容器２を継続して揺動させる。
【００３１】
次に、以上のような構成を有する振とう装置１を用いた分析用検液の作製作業について説明する。先ず、土壌汚染調査の現場で採取した土壌試料と純水とを一定の割合で混合して試験溶液を生成し、その試験溶液を試験容器２の容器本体２ａ内に入れ、容器本体２ａ上部の開口を蓋体２ｂで閉塞する。
【００３２】
次いで、試験溶液を入れた複数個の試験容器２を、振とう台５上に配列された受け孔３ａに挿入し、受け部３において直立させた状態で保持する。
【００３３】
続いて、駆動部７において、図示しない操作部等により駆動モータ９を回転駆動させ、この駆動モータ９の回転をカム部１０により上下運動に変換して、振とう台５を支持軸４を中心に回動させ、振とう台５の幅方向の端部５ａ，５ａを、支持軸４を中心にして円周方向上方または下方に、例えばそれぞれ７０ｍｍ程度上下動させ、振とう台５上に載置した試験容器２を継続して揺動させる。
【００３４】
土壌汚染調査の現場において、このように、所定の時間試験容器２を揺動させ容器内の試験溶液を振とうすることよって、土壌試料に含まれる汚染物質が純水に溶出し、分析用検液が作製される。
【００３５】
なお、本発明の振とう装置１は、振とう台５に配設された受け部３に複数個の試験容器２を保持することができるので、同時に複数個の試験容器を振とうすることができ、一度に多数の分析用検液を作製することができる。
【００３６】
また、この振とう装置１の駆動部７は、駆動モータ９とカム部１０とからなる、いわゆるシーソー方式で振とう台５を振とうするので、往復方式や旋回方式を採用する振とう装置より、構成が簡易であり、部品点数が少ないため、軽量化を図ることができる。したがって、この振とう装置１は、土壌汚染調査現場へ容易に搬送することができ、土壌汚染調査現場において分析用検液を作製することを可能にする。
【００３７】
さらに、本発明の振とう装置１は、脚部８が折り畳み可能または着脱可能であるので、脚を折り畳むまたは取り外すことで、装置全体をコンパクトにすることができるため、省スペース化が図れ、利便性を向上させることができる。
【００３８】
なお、受け部３の受け孔３ａは、各受け部３に１列、振とう台５の長さ方向に向けて形成されることに限定されるものではなく、それぞれ複数列形成されるようにしてもよい。これにより、受け部３は、受け孔３ａの数を増やすことができ、同時に複数個の試験容器を振とうし、一度に多数の分析用検液を作製することができる。
【００３９】
さらに、受け孔３ａは、振とう台５の長さ方向に千鳥状に形成されるようにしてもよい。ここで、千鳥状とは、図４に示すように、一方の受け孔３ａを、外側すなわち振とう台５の端部５ａに近い側に配列し、他方の受け孔３ｂを、受け孔３ａの間に、受け孔３ａよりも内側すなわち振とう台５の端部５ａに遠い側に位置をずらして配列することをいう。
【００４０】
受け部３にこのように受け孔３ａ,３ｂを配列すると、受け孔３ａのみを１列に配列するより、受け孔の数を増やすことができるため、より多くの試験容器を同時に振とうし、一度に作製する分析用検液の数をさらに増加させることができると共に、単に複数列に受け孔を配列したものより、均等に試験容器を振とうすることができる。
【００４１】
また、本発明の振とう装置１では、受け孔３ａが一列、複数列または千鳥状に形成された受け部３において、図５に示すように、１つの受け孔３ａ，３ｂに試験容器２を複数個積載して収納し、複数個の試験容器２を保持するようにしてもよい。
【００４２】
さらに、受け孔３ａが一列、複数列または千鳥状に形成された受け部３を、図６に示すように、多段に設けてもよい。この際、受け部３の高さを、容器本体２ａと蓋体２ｂとを含めた試験容器２と略同等の高さに、または試験容器２の高さよりやや高くすると共に、受け部３の下部に受け孔３ａが形成された底板を設ける。
【００４３】
ここで、図６（Ａ）に示すように、下段の受け部３の上面に、上方へ突出する係合凸部３ｃを形成する。加えて、下段の受け部３の上面と相対する上段の受け部３の底面に、下段の係合凸部３ｃと係合する係合凹部３ｄを形成する。そして、図６（Ｂ）に示すように、これら上下段の受け部３，３は、上記係合凸部３ｃと係合凹部３ｄとを係合して、多段に設置される。
【００４４】
このように、凹部及び凸部を係合させて受け部３を多段に設けることによって、受け孔３ａ，３ｂの数を増やすことができ、同時に試験容器２を振とうして、一度に作製できる分析用検液の点数を増やすことができる。
【００４５】
さらに、多段に設けられた受け部３は、図７（Ａ）及び図７（Ｂ）に示すように、アーム部１２を介して、上段の受け部３が下段の受け部３に対して、観音開き状に外側に移動可能に取り付けられるようにしてもよい。
【００４６】
ここで、上記アーム部１２は、第１のリンクアーム１２ａと、第１のリンクアーム１２ａと一方の端部において回動可能に連結された第２のリンクアーム１２ｂとからなり、これら連結したリンクアーム１２ａ,１２ｂは、他方の端部において、それぞれ上記受け部３側面と回動可能に取り付けられ、リンクアーム機構を構成している。
【００４７】
このように、アーム部１２を用いて受け部３を多段に設けることによって、受け孔３ａ，３ｂの数を増やすことができ、同時に試験容器２を振とうして、一度に作製できる分析用検液の点数を増やすことができる。加えて、このようにアーム部１２を用いて多段に受け部３を設ければ、上段の受け部３を下段の受け部３に対して上方に移動させて、上述した係合凸部３ｃと、係合凹部３ｄとの係合を解消させた後、図７（Ｂ）に示すように、上段の受け部３の位置を、下段の受け部３に対して外側にずらし、観音開き状に移動させることで、下段に挿入された試験容器２を容易に取ることができる。
【００４８】
さらに、受け部３は、図８に示すように、支持部１３を用いて、受け部３を多段に設けてもよい。上記支持部１３は、振とう台５上に配設された下段の受け部３より振とう台５の幅方向に対して内側に、支持軸４に対して相対するように設けられている。加えて、各支持部１３は、振とう台５の上面に対して略垂直に設けられた第１の支持部材１４と、この第１の支持部材１４に直交し、第１の支持部材１４に振とう台５の幅方向に対して外側に向けて設けられ、上段の受け部３が配設される第２の支持部材１５とを有する。
【００４９】
このように、支持部１３を用いて受け部３を多段に設けることによって、受け孔３ａ，３ｂの数を増やすことができ、同時に試験容器２を振とうして、一度に作製できる分析用検液の点数を増やすことができる。
【００５０】
さらに、図８に示すような支持部１３を用いて受け部３を多段に設けることに加え、図９に示すように、上段及び下段の受け部３，３をスライド可能に設けてもよい。
【００５１】
図９及び図１０に示すように、第２の支持部材１５の上面には、上段の受け部３を保持すると共に、振とう台５が揺動するのに伴い、上段の受け部３を振とう台５の幅方向にスライドさせる第１のスライド部１６ａが、振とう台５の長さ方向に対して所定の間隔を有して複数個形成されている。さらに、振とう台５の上面には、下段の受け部３を保持すると共に、振とう台５が揺動するのに伴い、下段の受け部３を振とう台５の幅方向にスライドさせる第２のスライド部１６ｂが、振とう台５の長さ方向に対して所定の間隔を有して複数個形成されている。
【００５２】
これら第１及び第２のスライド部１６ａ，１６ｂは、例えばＴ字状の溝部であり、上段及び下段の受け部３，３の底面に設けられたＴ字状の凸部と係合させることで、振とう台５を揺動させた際に上段及び下段の受け部３，３が振とう台５から外れないように保持すると共に、上段及び下段の受け部３，３を振とう台５の幅方向にスライドさせる。
【００５３】
なお、上記第１及び第２のスライド部１６ａ，１６ｂは、Ｔ字状の溝部に限定されるものではなく、上段及び下段の受け部３，３を保持すると共に、スライドさせることができるものであれば如何なるものでもよい。
【００５４】
また、各第１のスライド部１６ａの両端部には、上段の受け部３の振とう台５の幅方向への移動を規制する第１のストッパ部１７ａが形成されている。すなわち、上段の受け部３は、振とう台５を揺動させた際に、第１のスライド部１６ａの第１のストッパ部１７ａ，１７ａ間をスライドするため、第１のストッパ部１７ａ同士の間隔によって上段の受け部３の移動量が規制される。さらに、各第２のスライド部１６ｂの両端部には、下段の受け部３の振とう台５の幅方向への移動を規制する第２のストッパ部１７ｂが形成されている。すなわち、下段の受け部３は、振とう台５を揺動させた際に、第２のスライド部１６ｂの第２のストッパ部１７ｂ，１７ｂ間をスライドするため、第２のストッパ部１７ｂ同士の間隔によって下段の受け部３の移動量が規制される。
【００５５】
このような第２の支持部材１５上に配設された上段の受け部３は、振とう台５が揺動するに伴い、第１のスライド部１６ａによってストッパ部１７ａ，１７ａ間を繰り返しスライド移動するため、同位置において繰り返し振とうする固定された上段の受け部３内の試験容器２と比べて、より大きく試験容器２を振とうすることができる。更に、振とう台５上に配設された下段の受け部３は、振とう台５が揺動するに伴い、第２のスライド部１６ｂによってストッパ部１７ｂ，１７ｂ間を繰り返しスライド移動するため、同位置において繰り返し振とうする下段の受け部３内の試験容器２と比べて、より大きく試験容器２を振とうすることができる。
【００５６】
よって、スライド可能な上段及び下段の受け部３，３を設けた振とう装置１では、第２の支持部材１５及び振とう台５上に固定されて配設された受け部３に挿入された試験容器２より、より大きく試験容器２を振とうすることができ、上段の受け部３に挿入された試験容器２と下段の受け部３に挿入された試験容器２とで、振とう具合を異ならせることができ、同種のみならず異種の分析用検液を一度に多数作製することができる。
【００５７】
さらに、スライド可能な上段及び下段の受け部３，３を設けた振とう装置１において、上段及び下段の受け部３，３のスライド量が異なるように第１及び第２のストッパ部１７ａ，１７ｂを第１のスライド部１６ａ，１６ｂに配置してもよい。これによって、単に上段及び下段の受け部３，３をスライド可能に設けるより、上段及び下段の受け部３，３の振とう具合が異なる分析用検液を作製することができる。
【００５８】
さらに、図９に示すような上段及び下段の受け部３，３をスライド可能に設けることに限定するものではなく、上段の受け部３だけをスライド可能に設けてもよく、下段の受け部３だけをスライド可能に設けてもよい。
【００５９】
このように上段の受け部３又は下段の受け部３だけをスライド可能に設けた振とう装置１であっても、上段の受け部３に挿入された試験容器２と下段の受け部３に挿入された試験容器２とで、振とう具合を異ならせることができ、同種のみならず異種の分析用検液を一度に多数作製することができる。
【００６０】
さらに、図８及び図９に示すような上段及び下段の受け部３，３を固定又はスライド可能に設け、上段及び下段の受け部３，３の一方を固定し、他方をスライド可能に設けることに加え、第１の支持部材１４を、振とう台５の幅方向に揺動可能に設けてもよい。
【００６１】
具体的には、第１の支持部材１４は、支持軸が設けられ、この支持軸が振とう台５に設けられた軸受部を介して、振とう台５の幅方向に対して内側及び外側にそれぞれ所定の角度だけ回動し、振とう台５に対して揺動可能に設けられる。このような第１の支持部材１４は、振とう台５が揺動するのに伴い、振とう台５の幅方向に対して内側及び外側に所定の角度だけ回動し、振とう台５の幅方向に対して内側及び外側に揺動することで、上述したような単に第１のスライド部１６ａによってスライドされるものより、さらに上段の受け部３の移動量を大きくすることができる。
【００６２】
したがって、回動可能な第１の支持部材１４を設けた振とう装置１は、単に第１のスライド部１６ａによってスライドされるものより、上段の受け部３と下段の受け部３との振とう具合がより異なる分析用検液を同時に作製することができる。
【００６３】
さらに、上記第１の支持部材１４を振とう台５の幅方向に回動可能に設けることに代え、第１の支持部材１４を弾性及び柔軟性を有する材質で形成することで、第１の支持部材１４を、振とう台５の幅方向に揺動可能に設けるようにしてもよい。
【００６４】
このような第１の支持部材１４は、振とう台５が揺動されるのに伴い、振とう台５の幅方向に対して内側及び外側に撓み、振とう台５に対して揺動可能に設けられる。このような第１の支持部材１４は、上述したような単に第１のスライド部１６ａによってスライドされるものより、さらに上段の受け部３の移動量を大きくすることができる。
【００６５】
したがって、撓み可能な第１の支持部材１４を設けた振とう装置１は、単に第１のスライド部１６ａによってスライドされるものより、上段の受け部３と下段の受け部３との振とう具合がより異なる分析用検液を同時に作製することができる。
【００６６】
また、上段及び下段の受け部３，３を固定又はスライド可能に設け、上段及び下段の受け部３，３の一方を固定し、他方をスライド可能に設けるとともに、回動可能に第１の支持部材１４を設けることに加え、第１の支持部材１４を、弾性及び柔軟性を有する材質で形成することで、振とう台５の回動に伴い、第１の支持部材１４が回動するとともに撓むようにしてもよい。
【００６７】
このような第１の支持部材１４は、振とう台５が揺動されるのに伴い、振とう台５の幅方向に対して内側及び外側にそれぞれ所定の角度だけ回動するとともに、振とう台５の幅方向に対して内側及び外側に撓み、振とう台５に対して揺動可能に設けられる。したがって、このような第１の支持部材１４は、上述したような単に第１のスライド部１６ａによってスライドされるもの、単に第１の支持部材１４を回動可能に設けたもの及び単に第１の支持部材１４を撓み可能に設けたものより、さらに上段の受け部３の移動量を大きくすることができる。
【００６８】
したがって、回動可能かつ撓み可能に第１の支持部材１４を設けた振とう装置１は、単に第１のスライド部１６ａによってスライドされるもの、単に第１の支持部材１４を回動可能に設けたもの及び単に第１の支持部材１４を弾性及び柔軟性を有する材質で形成することより、上段の受け部３と下段の受け部３との振とう具合がより異なる分析用検液を同時に作製することができる。
【００６９】
また、上段及び下段の受け部３，３を固定又はスライド可能に設け、上段及び下段の受け部３，３の一方を固定し、他方をスライド可能に設け、第１の支持部材１４を、回動可能、撓み可能又は回動且つ撓み可能に設けた支持部１３の受け部３において、受け孔３ａを、振とう台５の長さ方向に向けてそれぞれ複数列形成するようにしてもよく、振とう台５の長さ方向に千鳥状に形成するようにしてもよい。更に、上記受け部３において、１つの受け孔３ａに試験容器２を複数個積載して収納するようにしてもよい。
【００７０】
また、図１１に示すように、振とう台５の上面に、複数個の試験容器２を保持する受け部３を、支持軸４に対して相対するように、振とう台５の長さ方向に向けて複数個配列するように設けてもよい。
【００７１】
また、受け部３内に設けられる受け孔３ａを、上述したように、支持軸４に対して相対するように、それぞれが振とう台５の長さ方向に向けて一列にまたは複数列に配列するのみならず、千鳥状に配列してもよい。また、このように配列された受け孔３ａ,３ｂに、試験容器２を直立状態で複数個積載して収納し、複数個の試験容器２を保持するようにしてもよい。
【００７２】
また、このように配列された受け孔３ａ,３ｂを有した受け部３を多段に設けてもよい。具体的に、受け部３を、係合凸部３ｃ及び係合凹部３ｄで係合して多段に設けてもよい。さらに、係合凸部３ｃ及び係合凹部３ｄで係合して多段に設けられた受け部３を、アーム部１２を用いて、観音開き状に外側に移動可能に取り付けてもよい。さらにまた、上述したように配列された受け孔３ａ,３ｂを有した受け部３を、支持部１３を用いて、多段に設けてもよい。このとき、上段及び下段の受け部３，３を固定又はスライド可能に設け、上段及び下段の受け部３，３の一方を固定し、他方をスライド可能に設けてもよい。
【００７３】
このように、受け部３を複数列配列し、あるいは、多段に設けることにより、受け孔３ａ,３ｂの数を増やすことができるため、同時に多くの試験容器を振とうし、一度に多数の分析用検液を作製することができる。
【００７４】
また、振とう台５の上面に、複数個の試験容器２を保持する受け部３を、支持軸４に対して相対するように設けることに限定されるものではなく、図１２（Ａ）及び図１２（Ｂ）に示すように、支持軸４に対して直交するように設けてもよい。
【００７５】
また、支持軸４に対して直交して設けられる受け部３の受け孔３ａ,３ｂを、支持軸４に対して直交するように、振とう台５の幅方向に向けて一列にまたは複数列に配列するのみならず、千鳥状に配列してもよい。このとき、受け部３は、支持軸４に対して直交するように、振とう台５の幅方向に向けて複数個配列するように設けてもよい。さらに、このように支持軸４に対して直交するように配列された受け孔３ａ,３ｂに、試験容器２を直立状態で複数個積載して収納し、複数個の試験容器２を保持するようにしてもよい。
【００７６】
また、支持軸４に対して直交するように配列された受け孔３ａ,３ｂを有した受け部３を多段に設けてもよい。具体的に、受け部３を、係合凸部３ｃ及び係合凹部３ｄで係合して多段に設けてもよい。さらに、係合凸部３ｃ及び係合凹部３ｄで係合して多段に設けられた受け部３を、アーム部１２を用いて、観音開き状に上段の受け部３を外側に移動可能に取り付けてもよい。さらにまた、上述したように支持軸４に対して直交するように配列された受け孔３ａ,３ｂを有した受け部３を、支持軸４に対して相対するように設けられた支持部１３を用いて、多段に設けてもよい。このとき、上段及び下段の受け部３，３を固定又は振とう台５の幅方向にスライド可能に設け、上段及び下段の受け部３，３の一方を固定し、他方を振とう台５の幅方向にスライド可能に設けてもよい。
【００７７】
このように、受け部３を複数列配列し、あるいは、多段に設けることにより、受け孔３ａ,３ｂの数を増やすことができるため、同時に多くの試験容器を振とうし、一度に多数の分析用検液を作製することができる。
【００７８】
なお、本発明に係る振とう装置の受け部３は、上面全体が開口された有底箱状、または、上面及び底面の全体が開口された矩形筒状であってもよい。また、上記受け部３は、試験容器２を挿入可能な大きさの開口を有し、上述した受け孔３ａの代わりに、その開口部において試験容器２を保持することもできる。
【００７９】
さらに、本発明に係る振とう装置の受け部３は、直方体等の形状に限定されるものではなく、その内径が試験容器２を挿入可能な大きさであれば、円筒状等、如何なる形状でもよい。
【符号の説明】
【００８０】
１  振とう装置、２  試験容器、２ａ  容器本体、２ｂ  蓋体、３  受け部、３ａ  受け孔、３ｂ  受け孔、３ｃ  係合凸部、３ｄ  係合凹部、４  支持軸、５  振とう台、５ａ  端部、５ｂ  端部、６  支持台、７  駆動部、８  脚部、９  駆動モータ、１０  カム部、１０ａ  一端、１０ｂ  他端、１１  回転板、１２  アーム部、１２ａ  第１のリンクアーム、１２ｂ  第２のリンクアーム、１３  支持部、１４  第１の支持部材、１５  第２の支持部材、１６ａ  第１のスライド部、１６ｂ  第２のスライド部、１７ａ  第１のストッパ部、１７ｂ  第２のストッパ部
【図１】
2012173150.tif 000003
【図２】
2012173150.tif 000004
【図３】
2012173150.tif 000005
【図４】
2012173150.tif 000006
【図５】
2012173150.tif 000007
【図６】
2012173150.tif 000008
【図７】
2012173150.tif 000009
【図８】
2012173150.tif 000010
【図９】
2012173150.tif 000011
【図１０】
2012173150.tif 000012
【図１１】
2012173150.tif 000013
【図１２】
2012173150.tif 000014